(57)【要約】【課題】遊技者が打ったゴルフボールがターゲットに到達すると抽選により遊技ポイントを得られるようにしたゴルフ遊技場に使用するもので、打たれたゴルフボールがどれだけターゲットに近い位置に届いたかに従って遊技者の技能を評価するゴルフ遊技システムを提供する。【解決手段】目標とするターゲット２１にゴルフボール３に仕込んだ無線タグを励起して識別情報を取得する距離計測装置２２を備え、この計測装置の励起出力を加減して応答する出力レベルを検知し、このレベルに基づいてゴルフボール３が停止した位置までの距離を推定し、識別情報から最も近くまでボールを寄せた遊技者を特定して遊技ポイントの抽選における当選確率を高くするなどの便宜を提供する。【選択図】　図２
2004135995.tif 000002
【特許請求の範囲】
【請求項１】
遊技者が狙うべきターゲットと、打ち出したゴルフボールに関する距離を計測する距離計測装置を備えたゴルフ遊技システムにおいて、
前記ゴルフボールは識別情報を記録した無線タグを内蔵させたことを特徴とし、前記距離計測装置は無線タグを読み出して予め設定された基準位置からの距離を計測することを特徴とするゴルフ遊技システム。
【請求項２】
前記ゴルフボールに関する距離は、
前記ターゲットの近傍に設置される前記距離計測装置と前記ゴルフボールが停止した位置との間の距離であることを特徴とする請求項１記載のゴルフ遊技システム。
【請求項３】
前記距離計測装置は、前記無線タグを励起する励起出力のレベルを変化させて、該無線タグが発信する無線信号が検出できなくなるときの前記励起出力のレベルに基づいて、前記距離を測定することを特徴とする請求項１または２記載のゴルフ遊技システム。
【請求項４】
前記距離計測装置は、前記ターゲットの周囲に複数備えられ、該距離計測装置のいずれかによって前記距離を測定することを特徴とする請求項１から３のいずれかに記載のゴルフ遊技システム。
【請求項５】
前記ターゲットのうちからニアピン競技の対象とするターゲットを選択するターゲット選択装置を備えて、指定したターゲットを基準としたゴルフボールの距離を測定して表示することを特徴とする請求項１から４のいずれかに記載のゴルフ遊技システム。
【請求項６】
前記ニアピン競技において、ゴルフボールを対象のターゲットまで最短距離に近づけた遊技者に対して、次回のプレイにおける得点の抽選確率を調整することを特徴とする請求項５記載のゴルフ遊技システム。
【請求項７】
前記ニアピン競技において、ゴルフボールを対象のターゲットまで最短距離に近づけた遊技者に対して、次回のプレイにおける演出を制御することを特徴とする請求項５または６記載のゴルフ遊技システム。
【発明の詳細な説明】
【０００１】
【発明の属する技術分野】
本発明は、遊技的要素を取り入れたゴルフ練習場あるいはゴルフ遊技場において遊技を進行させるゴルフ遊技システムに関し、特に、打ったゴルフボールの状態に基づき遊技を評価してプレイを楽しくするゴルフ遊技システムに関する。
【０００２】
【従来の技術】
ゴルフ練習場には、グランド内に適当なターゲットを設定してこれを狙ってボールを打って練習できるようにしたものがある。しかし、長い時間練習していると飽きてくる。そこで、多少遊技的要素を加えることにより興味を持続させて、練習の効果を高めるようにしたゴルフ遊技場が開発されている。
たとえば、特許文献１に開示された練習装置は、ゴルフボールが目標の位置に到達すると抽選を行い、抽選結果に基づいて賞品を進呈するもので、練習者に目標位置に飛ばそうとする意欲を掻き立てさせて楽しみながら練習できるようにしたものである。特に、遠い目標、近い目標、難しい目標、易しい目標のいずれも抽選によりそれなりの確率で賞品を受けることができるため、熟練者と初心者を問わず楽しむことができる。
【０００３】
また、本願出願人は、既に特願２００２−２２２６３１により、ゴルフボールに無線タグを仕込むことにより固有の識別情報を利用して遊技者を正確に識別できるようにし、さらにボールがターゲットに入ったときでなくボールを打ったときにポイントの抽選をすることにより、上手下手に関係なく必ず抽選の楽しみを受けられるようにしたゴルフ遊技システムを提供している。
さらに、本願出願人は特願２００２−２２２６３１により、提供する特典に出血サービスなどとアクセントを付けて客の興味を呼び、客の遊技を促すと共に利益額を増大させるような施策をとる余地をゴルフ遊技場の経営者に与えるため、打球に対して付与するボールポイントとターゲットに対して付与するターゲットポイントの当選確率を適当に選択して得点容易性を調整できるようにしたゴルフ遊技システムを開示している。
【０００４】
上記開示したゴルフ遊技システムは、表示装置を備えて、ゴルフボールを打ったときに適当な演出に従った表示を行い、その後に抽選結果を表示する。またターゲットポイントを有するターゲットに到達したときにボールポイントとターゲットポイントの組み合わせから遊技ポイントを算定して表示装置に表示し、遊技者の保有するポイントに加算する。
このようなゴルフ遊技場においては遊技性が高く楽しくプレイできるため、長時間の練習にも飽きがこない。
上記プレイで遊技者が得点するためにはゴルフボールがターゲットに入る必要がある。しかし、実際のゴルフ競技では複数ストロークでカップインさせるため、アプローチショットや寄せ打ちなど、途中のフェアウェーあるいはグリーン上の目標地点に近付ける技術も重要になる。
【０００５】
【特許文献１】
特開２００１−２４６０３５号公報
【０００６】
【発明が解決しようとする課題】
そこで、本発明が解決しようとする課題は、遊技者が打ったゴルフボールがターゲットに到達すると抽選により遊技ポイントを得られるようにしたゴルフ遊技場で使用するゴルフ遊技システムであって、打たれたゴルフボールとターゲットの位置関係に従って遊技者の技能を評価するようにしたゴルフ遊技システムを提供することである。
【０００７】
【課題を解決するための手段】
上記課題を解決するため、本発明のゴルフ遊技システムは、遊技者が狙うべきターゲットと、打ち出したゴルフボールに関する距離を計測する距離計測装置を備え、ゴルフボールは識別情報を記録した無線タグを内蔵させたことを特徴とし、距離計測装置は無線タグを読み出して予め設定された基準位置からの距離を計測することを特徴とする。
ターゲットとゴルフボールが停止した位置の距離を測定することにより、寄せなどにおける遊技者の技能を評価することができる。
【０００８】
また、ゴルフボールを受け入れるターゲットを使ってボールがターゲットに入ると抽選により遊技ポイントを与えるようにしたゴルフ遊技システムと併用することも可能で、本発明のゴルフ遊技システムにおいて所定の成績を収めた場合に抽選の当選確率を上げるなどのボーナスを遊技者に与えることにより、娯楽性を高めるようにしてもよい。
複数の遊技者が技能を競うときは、打ったボールの停止位置とターゲットの距離を評価して表示することにより、競争心を煽って練習意欲を掻き立てることができる。また、実際のゴルフプレイにおいてよく行われるニアピン競技を模擬して遊技の楽しみを増すこともできる。
【０００９】
距離計測装置は、ゴルフボールに仕込んだ無線タグの信号を励起する励起出力を変化させて無線タグの出力信号が検出できなくなるときの励起出力のレベルに基づいてゴルフボールまでの距離を推定する機構のものであってもよい。
無線タグにはゴルフボールを個別に識別する識別情報を書き込んでおくことができる。距離計測装置は、ゴルフボールに仕込まれた無線タグに無線電力を供給して励起し識別情報を含む出力信号を発信させて、これをアンテナで受信して内容を読み取るようになっている。なお、距離計測装置は、励起信号の強さを調整して到達距離を制御することができる。励起信号と到達距離の関係は、実験により予め把握しておくことができる。ゴルフボールと予め設定された基準位置からの距離を測定するときは、初めに励起信号出力を最大出力値や規制値など所定の値にセットしておいて、ゴルフボールが認識領域に侵入して停止したことを検出したら、その後励起出力のレベルを徐々に低下させていって、無線タグが応答できなくなるときの励起信号レベルを調べ、そのレベルと距離の関係から距離を推定する。予め設定された基準位置が複数備えられたターゲットのなかの１つである場合には、そのターゲットと停止したゴルフボールの間の距離となる。
【００１０】
距離計測装置あるいは別途設けられる識別情報読み取り装置によって識別情報を読み取ることにより、ゴルフボールの打ち出された打席が判別できる。
したがって、複数の遊技者が競技するときには、１個の打席で遊技者が入れ替わり立ち替わりゴルフボールを打ってボールとターゲットの距離を計測し打順から遊技者を識別して比較するようにすることもできるが、それぞれ別々の打席に入って、同じターゲットを狙ってゴルフボールを打ち込んで各人の接近距離を比較するようにすることもできる。
【００１１】
また、ターゲットは、周囲に複数の距離計測装置を備えて、距離計測装置のいずれかでターゲットまでの距離を測定するようにすることができる。
距離計測装置の可測領域は余り大きくないが、ターゲットの周囲に複数の計測装置を配置して、それぞれ測定領域を分担して測定を担当させることにより、より大きな距離でも測定可能とすることができる。
また、ターゲット選択装置を備えて、ターゲットのうちからニアピン競技の対象とするターゲットを選択することができるようにしてもよい。ニアピンの対象とするターゲットを指定すると、そのターゲットを基準としたゴルフボールの距離を測定して表示する。
【００１２】
複数の遊技者が参加したニアピン競技を模擬したプレイにおいて、ゴルフボールを対象のターゲットまで最短距離に近づけた遊技者に対して、プレイの抽選確率を調整するように構成することができる。
このように、勝利者に利益を与えることにより、うまくプレイをするように動機付けしたり、ゲームを楽しませることができる。勝利者の得る利益は、遊技ポイントの加算などであってもよい。
また、ニアピン競技において、ゴルフボールを対象のターゲットまで最短距離に近づけた遊技者に対して、プレイの演出を制御して表彰することができる。
【００１３】
【発明の実施の形態】
以下、本発明について図面を用い実施例に基づいて詳細に説明する。
図１は本発明のゴルフ遊技システムを適用するゴルフ遊技場の平面図、図２は本発明の１実施例に係るゴルフ遊技システムの構成を示すブロック図、図３は本実施例のゴルフ遊技システムにおけるターゲットの構成を示す側面断面図、図４は別のターゲットにおける距離計測装置の配置を示す平面図、図５はボール回収誘導路付きターゲットの構成を示す側面断面図である。
【００１４】
図１に示すように、本実施例のゴルフ遊技システムは、多数の打席１１が並ぶ打席列１とその前面に広がり複数のターゲット２１を設置したグランド２を持ったゴルフ遊技場に適用することができ、図２に示すようなシステム機器構成を有する。
遊技者４はターゲット２１に向けてゴルフボール３を打って、できるだけターゲット２１の近くに止まるように練習する。ターゲット２１には距離計測装置２２が設けられていて、ターゲットの周辺に形成される可測領域２３内に到達したゴルフボール３を検出する。
複数ある打席１１にはそれぞれ自動ボール供給装置１４が設けられていて、遊技者４が１人ずつ入ってプレイすることができる。
【００１５】
打席１１にはボールを打ったことを検知する打撃検出器１６が設けられる。
打撃検出器１６は、たとえば、ボールで反射する赤外線を検出する検知器を利用して、それまで存在していたボール３が無くなったときに打撃があったと判断するようにしてもよい。
遊技者４が、決められた打撃位置に据えたゴルフボール３をターゲット２１に向けて打つと、打撃検出器１６が打撃位置にゴルフボール３が無くなったことを検知し、自動ボール供給装置１４が新しいゴルフボールを打撃位置に供給する。
【００１６】
本実施例のゴルフ遊技システムは、無線により外部に識別情報を通知できる無線タグを埋め込んだ特殊なゴルフボールを使う。なお、遊技場の大きさにより、飛距離が短くなるようにしたゴルフボールを使ってもよい。
無線タグは、たとえば２ｍｍ角程度の極く小さい無線通信ＩＣとアンテナからなり、ＩＣ内蔵のメモリからデータを読み出したり外部からデータを書き込むことができるようにしたもので、品物に付けて使用するものである。
ゴルフボール３の中心部に埋め込んだ無線タグに識別情報を記録し、打撃位置とターゲット位置で検出するようにする。識別情報から、ゴルフボール３自体の識別、あるいはさらに、そのゴルフボール３に係る遊技者４の認識をすることができる。
【００１７】
なお、識別情報受信器１５は無線タグと通信をすることによってゴルフボール３の存在を検知することができるので、これを打撃位置に配置して打撃検出器を兼ねさせることもできる。
従来から使用されている自動ボール供給装置１４には、打撃位置にボールがなくなったら新しいゴルフボール３を供給するため、既に打撃検出器１６が設備されているので、これを利用することもできる。
この場合は、自動ボール供給装置１４のゴルフボール３を掴み出す場所に識別情報受信器１５を追加して設置すればよい。
【００１８】
ターゲット２１に設けられる距離計測装置２２は、打席１１に設けられる識別情報受信器１５と同じ機構のものであってもよい。図３に示すように、距離計測装置２２は可測領域２３内にあるゴルフボール３の無線タグと通信をすることによってゴルフボール３に固有の識別情報を読み出し、システム管理装置５において、この識別情報を先に記憶された打席で打ち出されたゴルフボール３の識別情報と照会することにより、ゴルフボール３が打ち出された打席１１ひいては打席でボールを打った遊技者４を特定することができる。
また、ゴルフボール３の無線タグと通信ができる可測領域２３は、機器構成によってたとえば直径ほぼ１ｍなどと決まっているので、識別情報を読み出すことができればゴルフボール３はターゲット２１の近傍にあることが保証される。
【００１９】
そこで、一人でプレイするときは、指定された目標のターゲット２１についてその可測領域２３内にゴルフボール３が入ったときに、景品として、そのボールを打った遊技者４に追加の遊技球を支給するようにしてもよい。あるいは、次回プレイにおける得点の抽選に１段階甘い抽選乱数群を用いるようにするなどの方法で、遊技者４に利益を与えるようにしてもよい。
【００２０】
なお、無線タグは距離計測装置２２から電源供給を受けてアンテナから情報信号を発信し、距離計測装置２２がこれを受信して情報処理する。したがって、距離計測装置２２から出力される励起信号の強度が小さくなると近距離にある無線タグとしか通信ができない。そこで、距離計測装置２２の電源供給出力、すなわち励起信号出力を変化させることにより、可測領域２３の大きさを調整することができる。
景品を出す条件をより厳しくするのであれば、距離計測装置２２の励起信号出力を弱くすることにより可測領域２３の面積を小さくして、ゴルフボール３とターゲット２１の間の許容距離をより小さくすることができる。
【００２１】
また、予め実験を重ねて励起信号出力と可測領域の間の関数関係を把握しておけば、励起信号出力を計器の最大出力値あるいは電波法に定められた規定値など可能な最大値にして無線タグを検出した後に、励起信号出力を弱めていって通信が不能になる信号レベルを検知することにより、検知した信号レベルに基づいて無線タグと計測装置の距離、すなわちゴルフボールとターゲットの間の距離を大まかに推定することができるようになる。
複数の競技者がニアピンを争う場合には、このようにして各競技者の打ったゴルフボール３と目標ターゲット２１の距離を求めてニアピン賞を決めることができる。
ニアピン賞受賞者には、特別な得点を与えて利益を図るようにしてもよい。また、ニアピン賞受賞者の打席１１において特別な演出をして、プレーヤの技能を表彰することもできる。このような演出は、抽選経過における演出や抽選結果の表示を行うためにシステム管理装置５に付属した表示装置４５を介して行ったり、音声装置や照明装置によって行ったりすることができる。
【００２２】
ニアピン競技をするときは、目標とするターゲット２１を決め、競技者は打席１１に順に入ってゴルフボールを打つ。目標ターゲット２１に設けた距離計測装置２２により、停止したゴルフボール３と目標ターゲット２１の距離を測定し、打順に基づいて打った人物を特定して、ゴルフボール３がターゲット２１に最も近かった人をニアピン賞受賞者とする。
また、複数の競技者がそれぞれ１個の打席１１を使用して、ゴルフボールを打つようにしてもよい。この場合は、競技者が使う全ての打席１１で同じ目標ターゲット２１を指定する。目標ターゲットの指定はシステム管理装置５に接続されたターゲット選択装置５１を介して行うことができる。
ゴルフ遊技システムは、目標ターゲット２１の近くで静止したゴルフボールについて目標ターゲット２１までの距離を測定して最短距離にあるゴルフボールの識別情報を読み取り、同じ識別情報が記録されている打席１１を検索して決定し、その打席を使用した遊技者４を特定してニアピン賞受賞者とする。
【００２３】
なお、ターゲットまで最短距離にあるゴルフボールは全ての競技者がボールを打ち終わった時点で決定すれば足りるが、１球ごとに距離を測定して記憶しておき最後に判定してもよいことはいうまでもない。
ゴルフボール３はそれぞれ個体として認識することができるので、ニアピン競技ごとにプレイ開始の信号を与えることにより、新規に可測領域２３に侵入してきたボールを検出して特定することができる。
なお、プレイしている遊技者がターゲット２１にゴルフボール３が載った状態を見て勝負の結果が明確に分かるようにするため、少なくとも可測領域２３内のボールを除去してから新しい競技を始めるようにしてもよい。このように測定対象を限ると、測定と判定が容易になり測定装置の簡単化にも効果がある。
１個のターゲットの周囲に多数の距離測定装置を配置することにより、可測領域２３を実質的に拡大することができる。ターゲットからの距離を推算するためには、測定した距離測定装置の位置を勘定に入れる必要があり、若干複雑な演算を必要とする。ただし、本実施例の距離計測装置は検出したゴルフボールの方向が分からないので、精度の高い距離を知ることはできない。
【００２４】
また、図４に示すように、１個のターゲット２１を取り囲んで多数の識別情報受信器２２を幾重か配置して、洋弓の的のように内側の受信器に検知されるほど高い得点を与えるようにしてもよい。
たとえば、ターゲット２１の直下に配置された識別情報受信器２２で検出できる第１の可測領域２４、その外側に多数の識別情報受信器２２を繋いで構成した第２の可測領域２５、さらにその外側に多数の識別情報受信器２２を繋いで構成した第３の可測領域２６を設定する。そして、たとえば、第１可測領域２４の中に静止したゴルフボールには１０点を与え、第２可測領域２５では５点を与え、第３可測領域２６の中に静止したゴルフボール３に１点を与えるというように決定する。得点ゾーンは３重に限らず任意の数だけ重なった環状ゾーンであってよい。
上記のような得点ゾーンを有するものでは、下手な遊技者にもそれなりに得点を与えるので、技能の程度によらずプレイを楽しむことができる。
なお、１個の識別情報受信器２２を用いて、各ゴルフボール３のターゲット２１からの距離を推定し、この距離が短いほど高得点を与えるようにしてもよい。
【００２５】
また、上に説明したターゲット２１は識別情報受信器２２の上に設けた指標に過ぎず、ゴルフボール３が近くに来たらその距離を測定する。
しかし、ターゲット２１は、図５に示すように、ある程度大きな開口を有するラッパ状の受け口２７や窪地などになっていて、入ったゴルフボール３をボール回収誘導通路２８に導いて回収するものであってもよい。
ボール回収誘導通路２８を通るゴルフボール３は、ターゲット２１の周辺で静止したゴルフボール３と識別情報受信器２２までの距離が異なり、検出に要求される感度が異なるので、距離計測を行う受信器とは別の識別情報受信器２９を通路２８の近傍に設けて使用してもよい。
【００２６】
このように２種類のゲームに併用するターゲット２１は、ニアピン競技に使用しないときには、上記と共通に用いられる識別情報受信器２２でゴルフボール３の入賞を検出し、さらにボール３の個体を識別してボールポイントとターゲットポイントとから遊技ポイントを算出して遊技者に与え、得点が所定の点数に達したらボーナスを与えるような遊技に使用することができる。
ボールポイントは、たとえば、ゴルフボール３を打ったときに抽選で決めるようにすると、遊技の面白味が増進して、利用が増大することが期待される。また、ターゲットポイントも、その都度抽選で決定するようにすることが好ましい。たとえば、ボールポイントとターゲットポイントの積を遊技ポイントとすることができる。
【００２７】
これら抽選における当選確率や当選して得られるポイント値は、予め編集された表を用いて制御するようにしてもよい。たとえば、特に遊技者に有利な確率テーブルを適用して集客を図ったり、景品の放出で失った利益を回収する目的で当選確率を低めに抑制した確率テーブルを選択したりすることができるように構成する。
また、上記のニアピン競技用ターゲット２１とは別に、ボール回収誘導通路付きのターゲットを備えるようにしてもよい。
【００２８】
この２種のゲームは互いに関連させることもできる。たとえば、ニアピン競技を先行させてその結果に基づいてポイント抽選の当選確率表を選択するようにしてもよい。このときは、ニアピン競技でゴルフボール３がターゲット２１の可測領域２３内に納まったときは、次回の遊技ポイント取得競技でボールポイントあるいはターゲットポイントの当選の期待値を上げるなどして、遊技者を有利にする。あるいは、複数の遊技者でニアピン競争をしたときには、勝者の打席１１に係るボールポイントあるいはターゲットポイントの当選確率を上昇させて、他者より有利にするようにしてもよい。
【００２９】
【発明の効果】
以上説明したように、本発明のゴルフ遊技システムにより、ゴルフ遊技場において打ったゴルフボールとターゲットの位置関係に従って遊技者の技能を評価して、遊技ポイントを加減したりボーナスを付与して、ゴルフ練習の面白味を増大させたり、ゲームとして楽しめるようにすることができる。
【図面の簡単な説明】
【図１】本発明のゴルフ遊技システムを適用するゴルフ遊技場の平面図である。
【図２】本発明の１実施例に係るゴルフ遊技システムの構成を示すブロック図である。
【図３】本実施例のゴルフ遊技システムにおけるターゲットの構成例を示す側面断面図である。
【図４】本実施例に使用する別のターゲットにおける距離計測装置の配置例を示す平面図である。
【図５】本実施例に使用する別のターゲットの構成例を示す側面断面図である。
【符号の説明】
１　打席列
１１　打席
１４　自動ボール供給装置
１５　識別情報受信器
２　グランド
２１　ターゲット
２２　距離計測装置または識別情報受信器
２３　可測領域
２４　第１可測領域
２５　第２可測領域
２６　第３可測領域
２７　ラッパ状受け口
２８　ボール回収誘導通路
２９　識別情報受信器
３　ゴルフボール
４　遊技者
５　システム管理装置
５１　ターゲット選択装置
５４　表示装置
【図１】
2004135995.tif 000003
【図２】
2004135995.tif 000004
【図３】
2004135995.tif 000005
【図４】
2004135995.tif 000006
【図５】
2004135995.tif 000007